Podtech/llm-jp-corpus-v4-ja_patent huggingface dataset:
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
抗癌剤と共に、癌を処置するための、ＴＬＲ４アゴニストを含んでなる組成物。
【請求項２】
ＴＬＲ４アゴニストと共に、癌を処置するための、抗癌剤を含んでなる組成物。
【請求項３】
癌を処置するための、ＴＬＲ４アゴニストと抗癌剤との組合せ物。
【請求項４】
ＴＬＲ４アゴニストがアミノアルキルグルコサミニドホスフェート（ＡＧＰ）である、請求項１〜３のいずれか一項に記載の組成物または組合せ物。
【請求項５】
ＴＬＲ４アゴニストが式１の化合物である、請求項１〜４のいずれか一項に記載の組成物または組合せ物。
【請求項６】
ＴＬＲ４アゴニストが式１ａの化合物である、請求項１〜５のいずれか一項に記載の組成物または組合せ物。
【請求項７】
ＴＬＲ４アゴニストがＣＲＸ−６０１、ＣＲＸ−５４７およびＣＲＸ−５２７からなる群から選択される、請求項１〜６のいずれか一項に記載の組成物または組合せ物。
【請求項８】
抗癌剤が化学療法薬である、請求項１〜７のいずれか一項に記載の組成物または組合せ物。
【請求項９】
請求項１〜８のいずれか一項に記載のＴＬＲ４アゴニスト、抗癌剤または組合せ物を１種類以上の薬学的に許容可能な担体とともに含んでなる組合せキット。
【請求項１０】
請求項１〜９のいずれか一項に記載のＴＬＲ４アゴニスト、抗癌剤または組合せ物を薬学的に許容可能な希釈剤または担体とともに含んでなる医薬組成物。
【請求項１１】
抗癌剤とＴＬＲ４アゴニストが同時に投与される、請求項１〜１０のいずれか一項に記載の組成物、組合せ物、医薬組成物または組合せキット。
【請求項１２】
抗癌剤とＴＬＲ４アゴニストが任意の順序で逐次投与される、請求項１〜１０のいずれか一項に記載の組成物、組合せ物、医薬組成物または組合せキット。
【請求項１３】
抗癌剤とＴＬＲ４アゴニストが全身投与、例えば静脈投与される、請求項１〜１２のいずれか一項に記載の組成物、組合せ物、医薬組成物または組合せキット。
【請求項１４】
抗癌剤が全身投与、例えば静脈投与され、ＴＬＲ４アゴニストが腫瘍内投与される、請求項１〜１２のいずれか一項に記載の組成物、組合せ物、医薬組成物または組合せキット。
【請求項１５】
抗癌剤が腫瘍内投与され、ＴＬＲ４アゴニストが全身投与、例えば静脈投与される、請求項１〜１２のいずれか一項に記載の組成物、組合せ物、医薬組成物または組合せキット。
【請求項１６】
抗癌剤とＴＬＲ４アゴニストが腫瘍内投与される、請求項１〜１２のいずれか一項に記載の組成物、組合せ物、医薬組成物または組合せキット。
【請求項１７】
癌が固形腫瘍である、請求項１〜１６のいずれか一項に記載の組成物、組合せ物、医薬組成物または組合せキット。
【請求項１８】
ＴＬＲ４アゴニストがアブスコパル効果を提供する、請求項１〜１７のいずれか一項に記載の組成物、組合せ物、医薬組成物または組合せキット。
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
被験体における敗血症若しくは内毒素血症を治療するため、又は被験体における敗血症の発症を低下若しくは抑制するための、製剤を製造するための、Ｃｘ４３ヘミチャネルタンパク質のアンタゴニスト又はＰａｎｘ１ヘミチャネルタンパク質のアンタゴニストの使用。
【請求項２】
前記製剤が、Ｃｘ４３ヘミチャネルタンパク質のアンタゴニストを含む、請求項１に記載の使用。
【請求項３】
前記製剤が、Ｐａｎｘ１ヘミチャネルタンパク質のアンタゴニストを含む、請求項１に記載の使用。
【請求項４】
被験体における敗血症若しくは内毒素血症を治療するため、又は被験体における敗血症の発症を低下若しくは抑制するための、製剤を製造するための、Ｃｘ４３ヘミチャネルタンパク質発現のインヒビター又はＰａｎｘ１ヘミチャネルタンパク質発現のインヒビターの使用。
【請求項５】
前記製剤が、Ｃｘ４３ヘミチャネルタンパク質発現のインヒビターを含む、請求項４に記載の使用。
【請求項６】
前記製剤が、Ｐａｎｘ１ヘミチャネルタンパク質発現のインヒビターを含む、請求項４に記載の使用。
【請求項７】
前記Ｃｘ４３ヘミチャネルタンパク質のアンタゴニストは、ペプチドアンタゴニストである、請求項１又は２に記載の使用。
【請求項８】
前記Ｐａｎｘ１ヘミチャネルタンパク質のアンタゴニストは、ペプチドアンタゴニストである、請求項１又は３に記載の使用。
【請求項９】
前記ペプチドアンタゴニストは、Ｃｘ４３ヘミチャネルの細胞外ドメインの配列を有するペプチドである、請求項７に記載の使用。
【請求項１０】
前記Ｃｘ４３ヘミチャネルタンパク質のアンタゴニストは、配列ＥＮＶＣＹＤ（配列番号１）又はＮＶＣＹＤＫ（配列番号２）を有するペプチドを含む、請求項１又は２に記載の使用。
【請求項１１】
前記ペプチドアンタゴニストは、Ｇａｐ２６又はＧａｐ２７である保護性ペプチドアンタゴニストと重複している、請求項９に記載の使用。
【請求項１２】
前記ペプチドアンタゴニストは、Ｇａｐ２６又はＧａｐ２７である保護性ペプチドアンタゴニストと重複していない、請求項９に記載の使用。
【請求項１３】
前記Ｃｘ４３ヘミチャネルタンパク質のアンタゴニスト又は前記Ｐａｎｘ１ヘミチャネルタンパク質のアンタゴニストが、カルベノキソロン、グリチルリチン酸、グリチルレチン酸又はグリチルリチン酸モノアンモニウムを含む、請求項１〜６のいずれか一項に記載の使用。
【請求項１４】
前記Ｃｘ４３ヘミチャネルタンパク質発現のインヒビター又は前記Ｐａｎｘ１ヘミチャネルタンパク質発現のインヒビターが、カルベノキソロン、グリチルリチン酸、グリチルレチン酸又はグリチルリチン酸モノアンモニウムを含む、請求項１〜６のいずれか一項に記載の使用。
【請求項１５】
カルベノキソロン、グリチルリチン酸、グリチルレチン酸又はグリチルリチン酸モノアンモニウムは、植物性物質を含まない、請求項１３又は１４に記載の使用。
【請求項１６】
カルベノキソロン、グリチルリチン酸、グリチルレチン酸又はグリチルリチン酸モノアンモニウムは、それぞれ合成により製造されたカルベノキソロン、グリチルリチン酸、グリチルレチン酸又はグリチルリチン酸モノアンモニウムである、請求項１３〜１５のいずれか一項に記載の使用。
【請求項１７】
前記Ｐａｎｘ１ヘミチャネルタンパク質のアンタゴニストは、抗Ｐａｎｘ１モノクローナル抗体である、請求項１又は２に記載の使用。
【請求項１８】
前記Ｃｘ４３ヘミチャネルタンパク質のアンタゴニストは、抗Ｃｘ４３モノクローナル抗体である、請求項１又は３に記載の使用。
【請求項１９】
被験体における虚血−再潅流障害を治療するため、又は被験体における虚血−再潅流障害の発症を低下若しくは抑制するための、製剤を製造するための、Ｃｘ４３ヘミチャネルタンパク質のアンタゴニストの使用。
【請求項２０】
前記Ｃｘ４３ヘミチャネルタンパク質のアンタゴニストは、ペプチドアンタゴニストである、請求項１９に記載の使用。
【請求項２１】
前記ペプチドアンタゴニストは、Ｃｘ４３ヘミチャネルの細胞外ドメインの配列を有するペプチドである、請求項２０に記載の使用。
【請求項２２】
前記Ｃｘ４３ヘミチャネルタンパク質のアンタゴニストは、配列ＥＮＶＣＹＤ（配列番号１）又はＮＶＣＹＤＫ（配列番号２）を有するペプチドを含む、請求項１９〜２１のいずれか一項に記載の使用。
【請求項２３】
前記ペプチドアンタゴニストは、Ｇａｐ２６又はＧａｐ２７である保護性ペプチドアンタゴニストと重複している、請求項２０に記載の使用。
【請求項２４】
前記ペプチドアンタゴニストは、Ｇａｐ２６又はＧａｐ２７である保護性ペプチドアンタゴニストと重複していない、請求項２０に記載の使用。
【請求項２５】
前記虚血−再潅流障害は、肝虚血−再潅流障害である、請求項１９〜２４のいずれか一項に記載の使用。
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
耳の疾患または疾病の処置に使用するための医薬組成物であって、該医薬組成物は、
ａ）切断型のＴｒｋＣまたは切断型のＴｒｋＢの標的配列にハイブリダイズする核酸ポリマーであって、切断型のＴｒｋＣまたは切断型のＴｒｋＢの発現レベルを低下させることができる、核酸ポリマー；および
ｂ）薬学的に許容可能な賦形剤及び／又は送達ビヒクルを含む、医薬組成物。
【請求項２】
耳の疾患または疾病が、難聴に関連した疾患または疾病を含む、請求項１に記載の医薬組成物。
【請求項３】
耳の疾患または疾病が、聴器毒性、化学療法誘導性難聴、興奮毒性、感音性難聴、騒音性難聴、老人性難聴、メニエール病／症候群、内リンパ水腫、迷路炎、ラムゼイ・ハント症候群、前庭神経炎、耳鳴、または微小血管圧迫症候群を含む、請求項１または２に記載の医薬組成物。
【請求項４】
核酸ポリマーが、切断型のＴｒｋＣの標的配列にハイブリダイズする、請求項１に記載の医薬組成物。
【請求項５】
核酸ポリマーが、切断型のＴｒｋＢの標的配列にハイブリダイズする、請求項１に記載の医薬組成物。
【請求項６】
核酸ポリマーが、切断型のＴｒｋＣまたは切断型のＴｒｋＢのｍＲＮＡの３’ＵＴＲ領域に位置する標的配列に、あるいはＣＣＡＡＵＣ、ＣＵＣＣＡＡ、またはＡＣＵＧＵＧから選択される結合モチーフを含む標的配列にハイブリダイズする、請求項１乃至５のいずれか１項に記載の医薬組成物。
【請求項７】
核酸ポリマーが、低分子ヘアピン型ＲＮＡ（ｓｈＲＮＡ）分子、マイクロＲＮＡ（ｍｉＲＮＡ）分子、ｓｉＲＮＡ分子、または二本鎖ＲＮＡ分子を含む、請求項１乃至６のいずれか１項に記載の医薬組成物。
【請求項８】
核酸ポリマーが、ＳＥＱ ＩＤ ＮＯ：１−５および１１４−１１９から選択される核酸配列に対する少なくとも８０％、８５％、９０％、９５％、９９％、または１００％の配列同一性を含む、請求項１乃至７のいずれか１項に記載の医薬組成物。
【請求項９】
核酸ポリマーが、ヌクレオシド部分で、リン酸塩部分で、またはその組み合わせでさらに修飾される、請求項１乃至８のいずれか１項に記載の医薬組成物。
【請求項１０】
核酸ポリマーが、１つ以上の人工ヌクレオチド塩基をさらに含む、請求項１乃至９のいずれか１項に記載の医薬組成物。
【請求項１１】
１つ以上の人工ヌクレオチド塩基が、２’−Ｏ−メチル、２’−Ｏ−メトキシエチル（２’−Ｏ−ＭＯＥ）、２’−Ｏ−アミノプロピル、２’−デオキシ、Ｔ−デオキシ−２’−フルオロ、２’−Ｏ−アミノプロピル（２’−Ｏ−ＡＰ）、２’−Ｏ−ジメチルアミノエチル（２’−Ｏ−ＤＭＡＯＥ）、２’−Ｏ−ジメチルアミノプロピル（２’−Ｏ−ＤＭＡＰ）、Ｔ−Ｏ−ジメチルアミノエチルオキシエチル（２’−Ｏ−ＤＭＡＥＯＥ）、または修飾される２’−Ｏ−Ｎ−メチルアセトアミド（２’−Ｏ−ＮＭＡ）、ロックド核酸（ＬＮＡ）、エチレン核酸（ＥＮＡ）、ペプチド核酸（ＰＮＡ）、１’，５’−アンヒドロヘキシトール核酸（ＨＮＡ）、モルフォリノ、メチルホスホネートヌクレオチド、チオールホスホネートヌクレオチド、または２’−フルオロＮ３−Ｐ５’−ホスホラミダイトを含む、請求項１０に記載の医薬組成物。
【請求項１２】
核酸ポリマーが、長さが最長で１０、１５、２０、２５、３０、３５、４０、４５、５０、５５、６０、７０、８０、９０、または１００のヌクレオチドである、請求項１乃至１１のいずれか１項に記載の医薬組成物。
【請求項１３】
核酸ポリマーを含むベクターをさらに含む、請求項１乃至１２のいずれか１項に記載の医薬組成物。
【請求項１４】
ベクターが、レンチウイルスベクター、レトロウイルスベクター、アデノウイルスベクター、アデノ関連のウイルスベクター、アルファウイルスベクター、単純ヘルペスウイルスベクター、ワクシニアウイルスベクター、またはキメラウイルスベクターから選択される、ウイルスベクターである、請求項１３に記載の医薬組成物。
【請求項１５】
切断型のＴｒｋＣが、非触媒性の切断型のＴｒｋＣである、請求項１乃至１４のいずれか１項に記載の医薬組成物。
【請求項１６】
切断型のＴｒｋＣが、ＳＥＱ ＩＤ ＮＯ：１０または１１３のアミノ酸配列に対する少なくとも８０％、８５％、９０％、９５％、または９９％の配列同一性を含む、請求項１乃至１５のいずれか１項に記載の医薬組成物。
【請求項１７】
切断型のＴｒｋＣがＴｒｋＣ．Ｔ１である、請求項１乃至１６のいずれか１項に記載の医薬組成物。
【請求項１８】
切断型のＴｒｋＢが、非触媒性の切断型のＴｒｋＢである、請求項１乃至１４のいずれか１項に記載の医薬組成物。
【請求項１９】
切断型のＴｒｋＢが、ＳＥＱ ＩＤ ＮＯ：１１−１２および１２１−１２３から選択されるアミノ酸配列に対する少なくとも８０％、８５％、９０％、９５％、または９９％の配列同一性を含む、請求項１乃至１４または１８のいずれか１項に記載の医薬組成物。
【請求項２０】
切断型のＴｒｋＢがＴｒｋＢ．Ｔ１である、請求項１乃至１４、１８または１９のいずれか１項に記載の医薬組成物。
【請求項２１】
切断型のＴｒｋＣ結合パートナーが、ニューロトロフィンまたはマイクロＲＮＡ分子を含み、切断型のＴｒｋＢ結合パートナーが、ニューロトロフィンを含む、請求項１に記載の医薬組成物。
【請求項２２】
医薬組成物が、筋肉内、鼓室内、静脈内、蝸牛内、または皮下の投与のために投与される、請求項１乃至２１のいずれか１項に記載の医薬組成物。
【請求項２３】
単離された且つ精製された核酸ポリマーであって、ＳＥＱ ＩＤ ＮＯ：１−５および１１４−１１９から選択される核酸配列に対する少なくとも８０％、８５％、９０％、９５％、９９％または１００％の配列同一性を含む、単離された且つ精製された核酸ポリマー。
【請求項２４】
単離された且つ精製された核酸ポリマーが、ヌクレオシド部分で、リン酸塩部分で、またはその組み合わせでさらに修飾される、請求項２３に記載の単離された且つ精製された核酸ポリマー。
【請求項２５】
請求項２３乃至２４の単離された且つ精製された核酸ポリマー；および薬学的に許容可能な賦形剤及び／又は送達ビヒクルを含む、耳の疾患または疾病の処置に使用するための医薬組成物。
【請求項２６】
ポロクサマーをさらに含む、請求項２５に記載の医薬組成物。
【請求項２７】
医薬組成物が、約１４重量％から約２１重量％のポロクサマーを有する、請求項２６に記載の医薬組成物。
【請求項２８】
医薬組成物が、約１５重量％から約１７重量％のポロクサマーを有する、請求項２６に記載の医薬組成物。
【請求項２９】
ポロクサマーが、ポロクサマー４０７である、請求項２６に記載の医薬組成物。
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
ピマバンセリン（Ｎ−（４−フルオロフェニルメチル）−Ｎ−（１−メチルピペリジン−４−イル）−Ｎ’−（４−（２−メチルプロピルオキシ）フェニルメチル）カルバミド）またはその塩を調製する方法であって、前記方法は、
式（Ａ２）による中間体、
【化３】
2018522012.tif 000001
またはその塩と、式（Ｂ２）による中間体、
【化４】
2018522012.tif 000002
またはその塩とを接触させ、ピマバンセリンまたはその塩を生成することを含み、式中、
Ｙは、−ＯＲ１であり、
Ｒ１は、水素、置換もしくは非置換Ｃ１〜６アルキル、および置換もしくは非置換アリールからなる群から選択される、方法
【請求項２】
Ｒ１が、メチル、エチル、プロピル、ブチル、ペンチル、トリフルオロエチルおよびフェニルからなる群から選択される、請求項１に記載の方法。
【請求項３】
Ｒ１が、フェニルである、請求項１に記載の方法。
【請求項４】
イソブチルアルコールと４−フルオロベンゾニトリルとを接触させて、式（Ａ２）による化合物を生成することをさらに含む、請求項１に記載の方法。
【請求項５】
イソブチルアルコールおよび４−フルオロベンゾニトリルを接触させることによって４−イソブトキシベンゾニトリルが生成され、前記４−イソブトキシベンゾニトリルが水素化されて、式（Ａ２）による化合物が生成される、請求項４に記載の方法。
【請求項６】
式（Ａ２）による化合物が、フェニル（４−イソブトキシベンジル）カルバメートである、請求項４に記載の方法。
【請求項７】
（Ｎ−（４−フルオロフェニルメチル）−Ｎ−（１−メチルピペリジン−４−イル）−Ｎ’−（４−（２−メチルプロピルオキシ）フェニルメチル）カルバミド）の酒石酸塩を
形成させることをさらに含む、請求項１に記載の方法。
【請求項８】
前記酒石酸塩が、ヘミ酒石酸塩である、請求項７に記載の方法。
【請求項９】
ピマバンセリンが、８０〜２１０℃で１０℃／分の加熱速度にて窒素下で４〜６ｍｇの試料を使用する、ＵＳＰ＜８９１＞による示差走査熱量測定（ＤＳＣ）により、１６７〜１７７℃の開始を伴う吸熱を有することによって特性決定される多形形態Ｃとして得られる、請求項１に記載の方法。
【請求項１０】
前記ＤＳＣが、１２０〜１４０℃でピークを示さない、請求項９に記載の方法。
【請求項１１】
（Ｎ−（４−フルオロフェニルメチル）−Ｎ−（１−メチルピペリジン−４−イル）−Ｎ’−（４−（２−メチルプロピルオキシ）フェニルメチル）カルバミド）が、その酒石酸塩の形成の前に単離される、請求項７に記載の方法。
【請求項１２】
（Ｎ−（４−フルオロフェニルメチル）−Ｎ−（１−メチルピペリジン−４−イル）−Ｎ’−（４−（２−メチルプロピルオキシ）フェニルメチル）カルバミド）が、その酒石酸塩の形成の前に単離されない、請求項７に記載の方法。
【請求項１３】
前記多形形態Ｃが、（Ｎ−（４−フルオロフェニルメチル）−Ｎ−（１−メチルピペリジン−４−イル）−Ｎ’−（４−（２−メチルプロピルオキシ）フェニルメチル）カルバミド）からの直接の形成によって得られる、請求項９に記載の方法。
【請求項１４】
前記式（Ａ２）による前記中間体を、塩基存在下で式（Ｂ２）による前記中間体と接触させる、請求項１に記載の方法。
【請求項１５】
前記塩基が、トリエチルアミン、ジイソプロピルアミン、ピリジンまたはアルカリ金属炭酸塩、水酸化ナトリウム、水酸化カリウム、リン酸ナトリウムおよびリン酸カリウムからなる群から選択される、請求項１４に記載の方法。
【請求項１６】
前記ピリジンまたはアルカリ金属炭酸塩が、炭酸ナトリウムまたは炭酸カリウムである、請求項１５に記載の方法。
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
ＦｃＲｎターゲティング部分及び抗原含有部分を含むリコンビナントキメラ構築物を含む、目的の１つの抗原に対する寛容を誘導するための、医薬組成物であって、粘膜投与される医薬組成物。
【請求項２】
抗原が、自己抗原であるか、抗原が、アレルゲンであるか、又は抗原が、治療目的で外因性投与される分子である、請求項１に記載の医薬組成物。
【請求項３】
被験体が、成人、妊婦又は子供である、請求項１に記載の医薬組成物。
【請求項４】
被験体が、新生児又は新生子である、請求項１に記載の医薬組成物。
【請求項５】
被験体が、自己免疫疾患を発症しやすいか、若しくは発症しやすいと考えられるか、又は既に発症したか、若しくは発症している、請求項１に記載の医薬組成物。
【請求項６】
被験体が、アレルギーを発症しやすいか、若しくは発症しやすいと考えられるか、又は既に発症したか、若しくは発症している、請求項１に記載の医薬組成物。
【請求項７】
被験体が、治療目的又は他の目的で外因性投与される分子に対する免疫応答を発症しやすいか、若しくは発症しやすいと考えられるか、又は既に発症したか、若しくは発症している、請求項１に記載の医薬組成物。
【請求項８】
被験体が、移植組織又は移植造血細胞又は移植血液細胞に対する免疫応答を発症しやすいか、若しくは発症しやすいと考えられるか、又は既に発症したか、若しくは発症している、請求項１に記載の医薬組成物。
【請求項９】
ＦｃＲｎターゲティング部分が、ＩｇＧ抗体の、好ましくはＩｇＧ１若しくはＩｇＧ４抗体の、特により好ましくはＩｇＧ１抗体の、Ｆｃ又は該Ｆｃの一部である、請求項１に記載の医薬組成物。
【請求項１０】
本発明のリコンビナントキメラ構築物が、Ｆｃ領域の一部からなるアミノ酸配列と、抗原の抗原性部分を含むアミノ酸配列とを含む融合タンパク質である、請求項１に記載の医薬組成物。
【請求項１１】
リコンビナントキメラ構築物を、該構築物を発現するリコンビナント細菌によって被験体に投与する、請求項１に記載の医薬組成物。
【請求項１２】
リコンビナントキメラ構築物を、口腔を介して送達する、請求項１に記載の医薬組成物。
【請求項１３】
リコンビナントキメラ構築物を、気道を介して送達する、請求項１に記載の医薬組成物。
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
尿路上皮癌を治療するための薬剤の調製における、ＢＴＫ阻害剤及びパクリタキセルの治療上有効量の組み合わせの使用。
【請求項２】
前記ＢＴＫ阻害剤がイブルチニブである、請求項１に記載の使用。
【請求項３】
治療を必要とする対象における尿路上皮癌の治療のための投与レジメンであって、前記対象に、イブルチニブ及びパクリタキセルを含む、治療上有効量の組み合わせを投与することを含み、イブルチニブ及びパクリタキセルが、少なくとも１サイクルで同時に投与される、投与レジメン。
【請求項４】
胃腺癌を治療するための薬剤の調製における、ＢＴＫ阻害剤及びドセタキセルの治療上有効量の組み合わせの使用。
【請求項５】
前記ＢＴＫ阻害剤がイブルチニブである、請求項４に記載の使用。
【請求項６】
治療を必要とする対象における胃腺癌の治療のための投与レジメンであって、前記対象に、イブルチニブ及びドセタキセルを含む、治療上有効量の組み合わせを投与することを含み、イブルチニブ及びドセタキセルが、少なくとも１サイクルで同時に投与される、投与レジメン。
【請求項７】
固形腫瘍を治療するための薬剤の調製におけるＢＴＫ阻害剤及びＥＧＦＲ阻害剤の治療上有効量の組み合わせの使用。
【請求項８】
前記ＢＴＫ阻害剤がイブルチニブである、請求項７に記載の使用。
【請求項９】
前記ＥＧＦＲ阻害剤がセツキシマブである、請求項７または８に記載の使用。
【請求項１０】
前記固形腫瘍が、結腸直腸癌である、請求項７−９のいずれか１項に記載の使用。
【請求項１１】
治療を必要とする対象における結腸直腸癌の治療のための投与レジメンであって、前記対象に、イブルチニブ及びセツキシマブを含む、治療上有効量の組み合わせを投与することを含み、イブルチニブ及びセツキシマブが、少なくとも１サイクルで同時に投与される、投与レジメン。
【請求項１２】
（ａ）ＢＴＫ阻害剤と、（ｂ）ＥＧＦＲ阻害剤と、（ｃ）薬学的に許容される賦形剤と、を含む、薬学的組成物。
【請求項１３】
前記ＢＴＫ阻害剤が、イブルチニブである、請求項１２に記載の薬学的組成物。
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
顆粒球マクロファージコロニー刺激因子（ＧＭ−ＣＳＦ）および顆粒球コロニー刺激因子（Ｇ−ＣＳＦ）からなる群から選択される、活性成分としてのコロニー刺激因子（ＣＳＦ）を含む、好中球増加を介する大腸癌又は膵癌の治療のための医薬。
【請求項２】
前記ＣＳＦは単一の活性成分として投与される、請求項１に記載の医薬。
【請求項３】
前記コロニー刺激因子は可溶性コロニー刺激因子タンパク質である、請求項１〜２のいずれかに記載の医薬。
【請求項４】
前記ＣＳＦの投与は注射によるものである、請求項１〜３のいずれかに記載の医薬。
【請求項５】
好中球増加を誘発するのに使用される、請求項１〜４のいずれかに記載の医薬。
【請求項６】
前記大腸癌は大腸の腺癌である、請求項１〜５のいずれかに記載の医薬。
【請求項７】
前記膵癌は膵外分泌癌である。請求項１〜６のいずれかに記載の医薬。
【請求項８】
前記コロニー刺激因子は顆粒球マクロファージコロニー刺激因子（ＧＭ−ＣＳＦ）である、請求項１〜７のいずれかに記載の医薬。
【請求項９】
前記ＧＭ−ＣＳＦはサルグラモスチム又はモルグラモスチムである、請求項８に記載の医薬。
【請求項１０】
前記コロニー刺激因子は顆粒球コロニー刺激因子（Ｇ−ＣＳＦ）である、請求項１〜７のいずれかに記載の医薬。
【請求項１１】
前記Ｇ−ＣＳＦはフィルグラスチム、ペグフィルグラスチム、レノグラスチム、又はリペグフィルグラスチムである、請求項１０に記載の医薬。
【請求項１２】
前記ＣＳＦの投与は１００〜１０００μｇ／日の用量である、請求項１〜１１のいずれかに記載の医薬。
【請求項１３】
前記投与される用量は４〜１６週間の期間にわたって適用される、請求項１〜１２のいずれかに記載の医薬。
【請求項１４】
前記投与は皮下に、経口的に、筋肉内に、又は静脈内に行われる、請求項１〜１３のいずれかに記載の医薬。
【請求項１５】
前記投与は、Ｇ−ＣＳＦについては１００〜６００μｇ／日の用量であり、及びＧＭ−ＣＳＦについては２００〜８００μｇ／日の用量で、４〜１６週の期間にわたって行われる、請求項１〜１４のいずれかに記載の医薬。
【請求項１６】
前記誘発された好中球増加は、１５，０００〜４５，０００ユニット／マイクロリットルの好中球数を有する、請求項１〜１５のいずれかに記載の医薬。
【請求項１７】
前記Ｇ−ＣＳＦ又はＧＭ−ＣＳＦは併用化学抗悪性腫瘍療法として投与される、請求項１〜１６のいずれかに記載の医薬。
【請求項１８】
Ｇ−ＣＳＦ又はＧＭＣＳＦは、膵癌の治療のために、ゲムシタビン、パクリタキセル、５−フルオロウラシル、ロイコボリン、イリノテカン、オキサリプラチン、エルロチニブ、エベロリムス、マイトマイシンＣ、及びスニチニブからなる群から選択された１以上の化合物と別々に、同時に、又は逐次的に投与され、且つ前記化合物の投与は任意選択的に放射線治療と併用される、請求項１７に記載の医薬。
【請求項１９】
Ｇ−ＣＳＦ又はＧＭ−ＣＳＦは、大腸癌の治療のために、５−フルオロウラシル、カペシタビン、ロイコボリン、イリノテカン、オキサリプラチン、セツキシマブ、ベバシズマブ、パニツムマブ、ジブ−アフリベルセプト、レゴラフェニブ、及びラムシルマブからなる群から選択される１以上の化合物と別々に、同時に、又は逐次的に投与され、且つ前記化合物の投与は任意選択的に放射線治療と併合される、請求項１７に記載の医薬。
【請求項２０】
請求項１に記載の医薬であって：
膵癌の治療のために、前記コロニー刺激因子は可溶性コロニー刺激因子タンパク質であり、ゲムシタビン、パクリタキセル、５−フルオロウラシル、ロイコボリン、イリノテカン、オキサリプラチン、エルロチニブ、エベロリムス、マイトマイシンＣ、及びスニチニブからなる群から選択された１以上の化合物と別々に投与され、且つ前記化合物の投与は任意選択的に放射線治療と併用される；あるいは、
大腸癌の治療のために、前記コロニー刺激因子は可溶性コロニー刺激因子タンパク質であり、５−フルオロウラシル、カペシタビン、ロイコボリン、イリノテカン、オキサリプラチン、セツキシマブ、ベバシズマブ、パニツムマブ、ジブ−アフリベルセプト、レゴラフェニブ、及びラムシルマブからなる群から選択される１以上の化合物と別々に投与され、且つ前記化合物の投与は任意選択的に放射線治療と併合される、医薬。
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
内耳細胞死に対して保護することによる聴覚損失の予防用のサイクリン依存性キナーゼ（ＣＤＫ）阻害組成物であって、ＣＤＫ阻害剤として、以下の式で表される化合物又はその薬学的に許容される塩を含む組成物。
【化１】
2018522064.tif 000001
【請求項２】
内耳細胞死に対して保護して騒音又は老化による聴覚損失を予防するための請求項１に記載の組成物。
【請求項３】
化学療法又は抗生物質誘発聴覚損失の予防用である請求項１に記載の組成物。
【請求項４】
サイクリン依存性キナーゼ（ＣＤＫ）阻害剤を含むキットであって、
以下の式で表される化合物又はその薬学的に許容される塩、及び１又は複数の
（ａ）少なくとも１つの聴覚障害予防剤、
（ｂ）少なくとも１つの抗生物質、
（ｃ）少なくとも１つの化学療法剤、及び
（ｄ）聴覚障害予防用の指示書を含むキット。
【化２】
2018522064.tif 000002
【請求項５】
内耳細胞死に対して保護して騒音又は老化による聴覚損失を予防するための請求項４に記載のキット。
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
α鎖の可変領域とβ鎖の定常領域との間に人工的鎖間ジスルフィド結合を含有することを特徴とするαβヘテロ二量体TCR。
【請求項２】
前記TCRの人工的鎖間ジスルフィド結合は、α鎖の可変領域のFR2とβ鎖の定常領域の間に位置することを特徴とする請求項1に記載のTCR。
【請求項３】
前記TCRの人工的鎖間ジスルフィド結合を形成するシステイン残基は、TRAVの46または47番目のアミノ酸残基に取って代わったものであることを特徴とする請求項2に記載のTCR
。
【請求項４】
前記TCRの人工的鎖間ジスルフィド結合を形成するシステイン残基は、TRBC1*01またはTRBC2*01エクソン1の60または61番目のアミノ酸残基に取って代わったものであることを特徴とする請求項2または3に記載のTCR。
【請求項５】
前記TCRの人工的鎖間ジスルフィド結合を形成するシステイン残基は、
TRAVの46番目のアミノ酸およびTRBC1*01またはTRBC2*01エクソン1の60番目のアミノ酸、
TRAVの47番目のアミノ酸およびTRBC1*01またはTRBC2*01エクソン1の61番目のアミノ酸、
TRAVの46番目のアミノ酸およびTRBC1*01またはTRBC2*01エクソン1の61番目のアミノ酸、あるいは
TRAVの47番目のアミノ酸およびTRBC1*01またはTRBC2*01エクソン1の60番目のアミノ酸、
に取って代わったものであることを特徴とする請求項1〜4のいずれかに記載のTCR。
【請求項６】
前記TCRは、可溶性のものであることを特徴とする請求項1〜5のいずれかに記載のTCR。
【請求項７】
前記TCRはα鎖の可変ドメインおよびβ鎖の可変ドメインならびに膜貫通ドメイン以外
のβ鎖の定常ドメインの全部または一部を含むが、α鎖の定常ドメインを含まず、前記TCRのα鎖の可変ドメインとβ鎖とがヘテロ二量体を形成することを特徴とする請求項1〜6のいずれかに記載のTCR。
【請求項８】
β鎖の定常ドメインにおける天然の鎖間ジスルフィド結合を形成するシステイン残基は別のアミノ酸、好ましくはアラニンまたはセリンに置き換えられたことを特徴とする請求項7に記載のTCR。
【請求項９】
前記TCRのβ鎖の定常ドメインのC末端で短く切断することによって天然の鎖間ジスルフィド結合を形成するシステイン残基が除去されたことを特徴とする請求項7に記載のTCR。
【請求項１０】
前記TCRは（i）その膜貫通ドメイン以外のTCRのα鎖の全部または一部、および（ii）その膜貫通ドメイン以外のTCRのβ鎖の全部または一部を含み、
ここで、（i）および（ii）はいずれもTCR鎖の可変ドメインおよび定常ドメインの少なくとも一部を含むことを特徴とする請求項1〜6のいずれかに記載のTCR。
【請求項１１】
前記TCRのα鎖とβ鎖との定常ドメインの間に天然の鎖間ジスルフィド結合が存在しないことを特徴とする請求項10に記載のTCR。
【請求項１２】
前記TCRのα鎖および/またはβ鎖の定常領域のC末端で短く切断することによって天然の鎖間ジスルフィド結合を形成するシステイン残基が除去されたことを特徴とする請求項11に記載のTCR。
【請求項１３】
前記TCRのα鎖および/またはβ鎖の定常領域における天然の鎖間ジスルフィド結合を形成するシステイン残基は別の残基に置き換えられたことを特徴とする請求項11に記載のTCR。
【請求項１４】
前記TCRのα鎖の定常領域とβ鎖の定常領域の間に人工的鎖間ジスルフィド結合を含有
することを特徴とする請求項10〜13のいずれかに記載のTCR。
【請求項１５】
TCRのα鎖の定常領域とβ鎖の定常領域の間に人工的鎖間ジスルフィド結合を形成する
システイン残基は、
TRAC*01エクソン1の48TおよびTRBC1*01またはTRBC2*01エクソン1の57S、
TRAC*01エクソン1の45TおよびTRBC1*01またはTRBC2*01エクソン1の77S、
TRAC*01エクソン1の10YおよびTRBC1*01またはTRBC2*01エクソン1の17S、
TRAC*01エクソン1の45TおよびTRBC1*01またはTRBC2*01エクソン1の59D、
TRAC*01エクソン1の15SおよびTRBC1*01またはTRBC2*01エクソン1の15E、
TRAC*01エクソン1の53RおよびTRBC1*01またはTRBC2*01エクソン1の54S、
TRAC*01エクソン1の 89PおよびTRBC1*01またはTRBC2*01エクソン1の19A、あるいは
TRAC*01エクソン1の10YおよびTRBC1*01またはTRBC2*01エクソン1の20E、
に取って代わったものであることを特徴とする請求項14に記載のTCR。
【請求項１６】
前記TCRのα鎖および/またはβ鎖のC末端またはN末端に抱合体が結合していることを特徴とする請求項1〜15のいずれかに記載のTCR。
【請求項１７】
前記TCRと結合している抱合体は、検出可能なマーカー、治療剤、PK修飾部分またはこ
れらの組み合わせであることを特徴とする請求項16に記載のTCR。
【請求項１８】
前記TCRと結合している治療剤は、前記TCRのα鎖またはβ鎖のC末端またはN末端に連結した抗CD3抗体であることを特徴とする請求項17に記載のTCR。
【請求項１９】
請求項1〜18のいずれかに記載のに記載のTCRのα鎖および/またはβ鎖をコードする核酸配列またはその相補配列を含むことを特徴とする核酸分子。
【請求項２０】
請求項19に記載の核酸分子を含むベクター。
【請求項２１】
宿主細胞または遺伝形質転換のエンジニアリング細胞であって、請求項20に記載のベクターを含むか、あるいは染色体に外来の請求項19に記載の核酸分子が組み込まれている細胞。
【請求項２２】
請求項1〜18のいずれかに記載のTCRを発現することを特徴とする分離された細胞。
【請求項２３】
請求項1〜18のいずれかに記載のT細胞受容体を製造する方法であって、
（i）請求項21に記載の宿主細胞を培養することによって、請求項1〜18のいずれかに記載のT細胞受容体のα鎖および/またはβ鎖を発現させる工程と、
（ii）前記のα鎖および/またはβ鎖を分離または精製する工程と、
(iii)前記のα鎖および/またはβ鎖をリフォールディングさせ、前記T細胞受容体を得
る工程と、
を含む方法。
【請求項２４】
一つまたは複数の請求項1〜18のいずれかに記載のTCRを含むことを特徴とするT細胞受容体複合体。
【請求項２５】
請求項1〜18のいずれかに記載のTCRの使用であって、腫瘍、ウイルス感染または自己免疫疾患を治療する薬物の製造あるいはMHC-ペプチド複合体を検出する試薬の製造に使用されることを特徴とする使用。
【請求項２６】
薬学的に許容される担体と安全有効量の請求項1〜18のいずれかに記載のTCR、請求項22に記載の細胞または請求項24に記載のT細胞受容体複合体とを含むことを特徴とする薬物組成物。
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
眼の疾患、病変、および損傷の処置または予防用の水性眼病用組成物であって：
ａ）前記眼の疾患、病変、および損傷の処置および／または予防に有効な濃度の、ラノステロール、ジヒドロラノステロール、４，４−ジメチルコレスタ−８（９），１４，２４−トリエン−３β−オール、４，４−ジメチルコレスタ−８，２４−ジエン−３β−オール、４，４−ジメチルコレスタ−８−エン−３β−オール、４，４−ジメチルコレスタ−８（９），１４−ジエン−３β−オール、１４−デスメチルラノステロール、ラトステロール、Δ７，２４−コレスタジエノール、コレステロール、コレスタ−７−エノール、コレステリルエステル、７−デヒドロコレステロール、デスモステロール、７−デヒドロデスモステロール、チモステロール、２７−ヒドロキシコレステロール、コレスタ−７，２４−ジエン−３−β−オール、コレスタ−８（９）−エン−３−β−オール、５α−コレスタン−３β−オール−６−オン、５−コレステン−３β，２５−ジオール、５−コレステン−３β，２５−ＯＳＯ３Ｈ（５−コレステン−３β，２５−サルフェート）、５−コレステン−３β−ＯＳＯ３Ｈ，２５−オール（５−コレステン−３β−サルフェート，２５−オール）、５−コレステン−３β，２５−ジオール，ジサルフェート、およびそれらのエステル、またはそれらの医薬的に許容可能な塩からなる群から選択される１つのステロイド、または少なくとも２つのステロイドの組合せ；ならびに
ｂ）医薬賦形剤
を含む組成物。
【請求項２】
ステロイドの前記組合せまたは混合物が、５α−コレスタン−３β−オール−６−オン、５−コレステン−３β，２５−ジオール、５−コレステン−３β，２５−ＯＳＯ３Ｈ（５−コレステン−３β，２５−サルフェート）、５−コレステン−３β−ＯＳＯ３Ｈ，２５−オール（５−コレステン−３β−サルフェート，２５−オール）、および５−コレステン−３β，２５−ジオールからなる群から選択される、請求項１に記載の組成物。
【請求項３】
２つのステロイドの前記混合物は、５α−コレスタン−３β−オール−６−オン、ならびに５−コレステン−３β，２５−ジオール、５−コレステン−３β，２５−ＯＳＯ３Ｈ（５−コレステン−３β，２５−サルフェート）、５−コレステン−３β−ＯＳＯ３Ｈ，２５−オール（５−コレステン−３β−サルフェート，２５−オール）、および５−コレステン−３β，２５−ジオールからなる群から選択される１つのステロイドから選択される、請求項１に記載の組成物。
【請求項４】
前記眼疾患は白内障である、請求項１から３のいずれか一項に記載の組成物。
【請求項５】
前記組成物はさらに、カルボキシメチルセルロース、ヒドロキシエチルセルロース、ヒドロキシプロピルメチルセルロース、それらの薬理的に許容可能な塩、またはそれらの混合物からなる群から選択される少なくとも１つのセルロースを含む、請求項１から４のいずれか一項に記載の組成物。
【請求項６】
前記組成物中の前記ステロイドの総濃度は、約０．００１から１．０ｍｇ／ｍｌである、請求項１から５のいずれか一項に記載の組成物。
【請求項７】
前記組成物は、前記ステロイドの用量範囲を、約０．０１から約１００ｍｇ／ｋｇ／日と規定する、請求項１から６のいずれか一項に記載の組成物。
【請求項８】
前記組成物中の前記ステロイドの量は、０．０００５ｗｔ／ｗｔ％から０．５ｗｔ／ｗｔ％、０．００１ｗｔ／ｗｔ％から０．５ｗｔ／ｗｔ％、０．０１ｗｔ／ｗｔ％から０．５ｗｔ／ｗｔ％、または０．１ｗｔ／ｗｔ％から０．５ｗｔ／ｗｔ％の範囲内である、請求項１から７のいずれか一項に記載の組成物。
【請求項９】
前記セルロースの量は、約０．０１％から０．５％である、請求項５に記載の組成物。
【請求項１０】
ベンジルアルコールまたはパラ−アミノ−安息香酸から選択される防腐剤をさらに含む、請求項１から９のいずれか一項に記載の組成物。
【請求項１１】
前記ステロイドの組成または前記ステロイドの比率は、表１から表９に開示される通りである、請求項１から１０のいずれか一項に記載の組成物。
【請求項１２】
前記組成物はさらに、眼への局所投与に許容可能な潤滑剤を含む、請求項１から１１のいずれか一項に記載の組成物。
【請求項１３】
前記組成物は、充填されたナノ粒子製剤または持続型放出製剤である、請求項１から１２のいずれか一項に記載の組成物。
【請求項１４】
前記組成物は、少なくとも１週間、毎日投与するのに適している、請求項１から１３のいずれか一項に記載の組成物。
【請求項１５】
前記組成物は、少なくとも１週間または２週間、毎日、２日に１回、３日に１回、４日に１回、５日に１回、または毎週投与されてよい、請求項１から１４のいずれか一項に記載の組成物。
【請求項１６】
前記組成物が、白内障におけるタンパク質の凝集を逆転させ、または白内障の重症度を有意に低下させ、かつ水晶体の透明度を増大させる、請求項１から１５のいずれか一項に記載の組成物。
【請求項１７】
前記組成物が、野生型クリスタリンタンパク質および突然変異クリスタリンタンパク質の双方のアグリソーム形成を有意に阻害する、請求項１から１６のいずれか一項に記載の組成物。
【請求項１８】
前記組成物が、原発性開放隅角緑内障、白内障に付随する高眼圧症の患者に投与されてよい、請求項１から１７のいずれか一項に記載の組成物。
【請求項１９】
水晶体タンパク質の凝集を阻害し、白内障を処置し、白内障の形成を引き下げ、白内障の重症度を低下させ、かつ水晶体の透明度を増大させるための、請求項１から１５のいずれか一項に記載の組成物。
【請求項２０】
突然変異体クリスタリンタンパク質の培養によって引き起こされるタンパク質の凝集を減少させ、かつ水晶体の透明度を増大させることによって、予め形成された白内障の重症度を低下させるための、請求項１から１５のいずれか一項に記載の組成物。
【請求項２１】
治療的に有効な量が、白内障を処置するのに有効である、請求項１から２０のいずれか一項に記載の組成物。
【請求項２２】
眼の硝子体眼房中への局所投与または注射用である、請求項１から２１のいずれか一項に記載の組成物。
【誤訳訂正書】
【提出日】令和1年6月13日(2019.6.13)
【誤訳訂正１】
【訂正対象書類名】明細書
【訂正対象項目名】０００８
【訂正方法】変更
【訂正の内容】
【０００８】
しかしながら、ＵＳ ２００８０５１４８１に記載のハロゲン化難燃剤は、冷蔵庫への使用に適していない。
【誤訳訂正２】
【訂正対象書類名】明細書
【訂正対象項目名】００４０
【訂正方法】変更
【訂正の内容】
【００４０】
また、上記以外に、多官能性イソシアネートと多価ポリオールとの反応生成物、並びに、これらと別のジ−及びポリイソシアネートとの混合物を使用することは可能である。
【誤訳訂正３】
【訂正対象書類名】明細書
【訂正対象項目名】００４４
【訂正方法】変更
【訂正の内容】
【００４４】
使用されるポリエステルアルコールは主に、２〜１２個の炭素原子、好ましくは２〜６個の炭素原子を有する多価アルコール、好ましくはジオールと、２〜１２個の炭素原子を有する多塩基カルボン酸、例えばコハク酸、グルタル酸、アジピン酸、スベリン酸、アゼライン酸、セバシン酸、デカンジカルボン酸、マレイン酸、フマル酸、及び好ましくはフタル酸、イソフタル酸、テレフタル酸、及び異性体ナフタレンジカルボン酸との濃縮によって製造される。
【誤訳訂正４】
【訂正対象書類名】明細書
【訂正対象項目名】００６３
【訂正方法】変更
【訂正の内容】
【００６３】
使用される触媒は、特に、イソシアネート基とイソシアネート基に対して反応性の基との反応を大きく促進する化合物を含む。当該触媒は、例えば、塩基アミン、例えば第２級脂肪族アミン、イミダゾール、アミジン、アルカノールアミン、ルイス酸、又は有機金属化合物、特にスズ又はビスマスをベースとするものである。また、異なる触媒の混合物からなる触媒系を使用することも可能である。
【誤訳訂正５】
【訂正対象書類名】明細書
【訂正対象項目名】００７２
【訂正方法】変更
【訂正の内容】
【００７２】
さらに、本発明は、上記の硬質ポリウレタンフォーム又は硬質ポリイソシアヌレートフォームを、断熱材料、好ましくは断熱シート、サンドイッチ要素、温水タンク、煮沸器、冷却器、断熱フォーム、冷蔵庫又は冷凍庫に使用する方法も提供する。また、本発明は、上記の硬質ポリウレタンフォーム又は硬質ポリイソシアヌレートフォームを断熱材料として含む断熱シート、サンドイッチ要素、温水タンク、煮沸器、冷却器、断熱フォーム、冷蔵庫又は冷凍庫を提供する。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
２，４，７−トリメチルオクタ−６−エン−１−オール。
【請求項２】
２，４，７−トリメチルオクタ−６−エン−１−オールを含むフレグランス組成物または芳香製品。
【請求項３】
追加のフレグランス成分をさらに含む、請求項２に記載のフレグランス組成物または芳香製品。
【請求項４】
２，４，７−トリメチルオクタ−６−エン−１−オールのフレグランスとしての使用。
【請求項５】
芳香製品に、新鮮さおよび清潔さを与える方法であって、前記芳香製品に２，４，７−トリメチルオクタ−６−エン−１−オールを組み込む工程を含む、前記方法。
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
個人における外傷性脳損傷を予防、軽減又は治療するための医薬組成物であって、脳内の１種以上のペプチドの１種以上の凝集形態を減少することが可能な薬剤の、治療効果があり且つ生理的に許容できる量を含む、医薬組成物。
【請求項２】
前記外傷性脳損傷は、急性脳損傷事象の結果である請求項１記載の医薬組成物。
【請求項３】
前記外傷性脳損傷は、物理的脳損傷事象の結果である請求項１記載の医薬組成物。
【請求項４】
前記外傷性脳損傷は、脳卒中又は低酸素症により引き起こされる脳損傷の結果である請求項１記載の医薬組成物。
【請求項５】
前記１種以上のペプチドは、Ａβペプチド、α−シヌクレインペプチド及びタウペプチドからなる群より選択される請求項１乃至請求項４の何れか１項に記載の医薬組成物。
【請求項６】
前記ペプチドの１種以上の凝集形態は、プロトフィブリルの形態にある凝集したＡβペプチドである請求項１乃至請求項４の何れか１項に記載の医薬組成物。
【請求項７】
前記薬剤は、抗体である請求項１乃至請求項６の何れか１項に記載の医薬組成物。
【請求項８】
前記抗体は、Ａβプロトフィブリルに結合する請求項７記載の医薬組成物。
【請求項９】
前記外傷性脳損傷は、軽度の外傷性脳損傷である請求項１乃至請求項８の何れか１項に記載の医薬組成物。
【請求項１０】
前記外傷性脳損傷は、中程度の外傷性脳損傷である請求項１乃至請求項８の何れか１項に記載の医薬組成物。
【請求項１１】
前記外傷性脳損傷は、重度の外傷性脳損傷である請求項１乃至請求項８の何れか１項に記載の医薬組成物。
【請求項１２】
前記個人は、アポリポプロテインＥ４対立遺伝子のキャリアである請求項１乃至請求項１１の何れか１項に記載の医薬組成物。
【請求項１３】
前記個人は、アポリポタンパク質Ｅ３／Ｅ４遺伝子型又はアポリポタンパク質Ｅ４／Ｅ４遺伝子型である請求項１乃至請求項１１の何れか１項に記載の医薬組成物。
【請求項１４】
外傷性脳損傷の予防、軽減又は治療における使用のための、脳内の１種以上のペプチドの１種以上の凝集形態を減少することが可能な薬剤。
【請求項１５】
前記外傷性脳損傷は、急性脳損傷事象の結果である請求項１４記載の使用のための薬剤。
【請求項１６】
前記外傷性脳損傷は、物理的脳損傷事象の結果である請求項１４記載の使用のための薬剤。
【請求項１７】
前記外傷性脳損傷は、脳卒中又は低酸素症により引き起こされる脳損傷の結果である請求項１４記載の使用のための薬剤。
【請求項１８】
前記１種以上のペプチドは、Ａβペプチド、α−シヌクレインペプチド及びタウペプチドからなる群より選択される請求項１４乃至請求項１７の何れか１項に記載の使用のための薬剤。
【請求項１９】
前記ペプチドの１種以上の凝集形態は、プロトフィブリルの形態にある凝集したＡβペプチドである請求項１４乃至請求項１７の何れか１項に記載の使用のための薬剤。
【請求項２０】
前記薬剤は、抗体である請求項１４乃至請求項１９の何れか１項に記載の使用のための薬剤。
【請求項２１】
前記抗体は、Ａβプロトフィブリルに結合する請求項２０記載の使用のための薬剤。
【請求項２２】
前記外傷性脳損傷は、軽度の外傷性脳損傷である請求項１４乃至請求項２１の何れか１項に記載の使用のための薬剤。
【請求項２３】
前記外傷性脳損傷は、中程度の外傷性脳損傷である請求項１４乃至請求項２１の何れか１項に記載の使用のための薬剤。
【請求項２４】
前記外傷性脳損傷は、重度の外傷性脳損傷である請求項１４乃至請求項２１の何れか１項に記載の使用のための薬剤。
【請求項２５】
前記個人は、アポリポタンパク質Ｅ４対立遺伝子のキャリアである請求項１４乃至請求項２４の何れか１項に記載の使用のための薬剤。
【請求項２６】
前記個人は、アポリポタンパク質Ｅ３／Ｅ４遺伝子型又はアポリポタンパク質Ｅ４／Ｅ４遺伝子型である請求項１４乃至請求項２４の何れか１項に記載の使用のための薬剤。
【請求項２７】
前記個人の脳内における、外傷性脳損傷事象の結果として凝集する傾向がある１種以上のペプチドの１種以上の凝集形態を検出することを含む、外傷性脳損傷後の合併症の個人のリスクの予測方法であって、脳内における、そのような凝集体の増加したレベルは、合併症の増加したリスクを示す、方法。
【請求項２８】
前記１種以上のペプチドは、Ａβペプチド、α−シヌクレインペプチド及びタウペプチドからなる群より選択される請求項２７記載の方法。
【請求項２９】
前記ペプチドの１種以上の凝集形態は、プロトフィブリルの形態にある凝集したＡβペプチドである請求項２７記載の方法。
【請求項３０】
前記ペプチドの１種以上の凝集形態は、抗体で検出可能である請求項２７乃至請求項２９の何れか１項に記載の方法。
【請求項３１】
前記ペプチドの１種以上の凝集形態は、Ａβプロトフィブリルに結合する抗体で検出可能である請求項２７乃至請求項２９の何れか１項に記載の方法。
【請求項３２】
更に、前記個人のアポリポタンパク質遺伝子型の決定を含む、請求項２７乃至請求項３１の何れか１項に記載の方法。
【手続補正書】
【提出日】令和1年7月18日(2019.7.18)
【手続補正１】
【補正対象書類名】明細書
【補正対象項目名】０００３
【補正方法】変更
【補正の内容】
【０００３】
斯かる装置は、例えば、静止ミキシングチップを有する二連式シリンジである。一般的に、化学組成物Ａが１つの円筒部に充填され、化学組成物Ｂがもう１つの円筒部に充填される。斯かる方式では、組成物ＡおよびＢは、組み合わされた化学組成物Ｃを供給する必要が生じるまで、すなわち混合され供給される（Ａ＋Ｂ＝Ｃ）まで、互いに分離して貯蔵される。組成物ＡおよびＢはシリンジプランジャを押圧することにより供給され、静止ミキシングチップに送られ、そこで混合され、その結果生じる組成物Ｃがノズル先端から目的の治療部位へ押し出される。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２０１５／０２５１１９号
（特許文献２）  米国特許出願公開第２００４／０１４６８３７号明細書
（特許文献３）  米国特許出願公開第２００４／０１７５３２８号明細書
（特許文献４）  米国特許出願公開第２００７／０２９８３８０号明細書
（特許文献５）  米国特許出願公開第２００４／００８２７１６号明細書
（特許文献６）  米国特許第５，５３６，２６３号明細書
（特許文献７）  米国特許第５，１１５，８０１号明細書
（特許文献８）  米国特許出願公開第２０１０／０３３０３８３号明細書
（特許文献９）  米国特許出願公開第２００６／０１１０３７９号明細書
【手続補正書】
【提出日】令和1年6月20日(2019.6.20)
【手続補正１】
【補正対象書類名】特許請求の範囲
【補正対象項目名】請求項２０
【補正方法】変更
【補正の内容】
【請求項２０】
請求項１〜１９のいずれか一項に記載の化合物、および薬学的に許容し得る担体または希釈剤を含む医薬組成物。
【手続補正２】
【補正対象書類名】特許請求の範囲
【補正対象項目名】請求項２１
【補正方法】変更
【補正の内容】
【請求項２１】
有効量の請求項１〜１９のいずれか一項に記載の化合物またはその薬学的に許容し得る塩を含む、がんを有する対象を治療するための医薬組成物。
【手続補正３】
【補正対象書類名】特許請求の範囲
【補正対象項目名】請求項２２
【補正方法】変更
【補正の内容】
【請求項２２】
有効量の請求項１〜１９のいずれか一項に記載の化合物またはその薬学的に許容し得る塩を含む、がんを有する対象を治療するための医薬組成物であって、該医薬組成物は、有効な第二の抗がん治療（例、化学療法剤、標的化治療剤、放射線または手術）と組み合わせて使用される、医薬組成物。
【手続補正４】
【補正対象書類名】特許請求の範囲
【補正対象項目名】請求項２３
【補正方法】変更
【補正の内容】
【請求項２３】
有効量の請求項１〜１９のいずれか一項に記載の化合物またはその薬学的に許容し得る塩を含む、がんを有する対象を治療するための医薬組成物であって、該医薬組成物は、有効量の、チェックポイント阻害剤（例、抗ＰＤ−１抗体、抗ＣＴＬＡ４抗体または抗ＰＤ−Ｌ１抗体）またはトリプトファン酸化阻害剤（例、ＩＤＯ１、ＩＤＯ２またはＴＤＯ２阻害剤）などの免疫調節剤と組み合わせて使用される、医薬組成物。